(57)【要約】【課題】押鍵操作中における鍵の質量感に変化を付ける電子楽器の鍵盤装置を提供する。【解決手段】複数の白鍵本体部１、黒鍵本体部２と、各鍵の押鍵操作に連動して回動する複数の各質量体８と、複数の鍵と複数の質量体８とが並設された鍵フレーム３と、鍵フレーム３の側に配置され各質量体８が衝突することにより各質量体８の回動範囲を規制する下限ストッパ９、上限ストッパ１０を有する。質量集中部８ｅは、質量体８に対応する白鍵本体部１が押されたときに、重力に抗して回動する。この質量集中部８ｅの部分に、空洞部８eaが設けられている。この空洞部８eaには、複数の粒子１２が空き空間を残した状態で収容されている。【選択図】図１
2009014973.tif 000002
【特許請求の範囲】
【請求項１】
複数の鍵と、該各鍵の押鍵操作に連動して回動する複数の各質量体と、前記複数の鍵と前記複数の質量体とが並設されたフレームと、該フレームの側に配置され前記各質量体が衝突することにより前記各質量体の回動範囲を規制する動作規制部材を有する電子楽器の鍵盤装置において、
前記各質量体には、当該質量体に対応する鍵が押されたとき重力に抗して回動する部分に空洞部が設けられ、
前記空洞部には、複数の粒子が空き空間を残した状態で収容されている、
ことを特徴とする電子楽器の鍵盤装置。
【請求項２】
前記空洞部の内部には、緩衝材が設けられている、
ことを特徴とする請求項１に記載の電子楽器の鍵盤装置。
【請求項３】
前記各粒子は、軟質部材に覆われたものである、
ことを特徴とする請求項１に記載の電子楽器の鍵盤装置。
【請求項４】
前記質量体は、鍵の配列方向に並んだ左右の側壁部を有し、
前記空洞部は、前記左右の側壁部の間に形成され、
前記左右の側壁部の少なくとも一方は、光透過性を有する、
ことを特徴とする請求項１から３までのいずれか１項に記載の電子楽器の鍵盤装置。
【請求項５】
前記左右の側壁部の少なくとも一方は、光透過性を有するとともに目盛を有する、
ことを特徴とする請求項４に記載の電子楽器の鍵盤装置。
【発明の詳細な説明】
【技術分野】
【０００１】
本発明は、電子楽器の鍵盤装置に関するものであり、特に押鍵操作に連動して質量体を回動させる機構を用いたものに関する。
【背景技術】
【０００２】
従来、電子楽器の鍵盤装置において、押鍵操作（ストローク）に連動して質量体を回動させ、アコースティック・ピアノの鍵盤機構に似た、鍵タッチ感、すなわち、質量感及びストップ感を得るものがある。
図６は、従来の電子楽器の鍵盤装置を模式的に示す右側面図である。
図中、１は白鍵本体部、２は黒鍵本体部、６１は鍵フレームである。鍵フレーム６１は、鍵の長手方向の前部及び後部に段差部があり、これらの間が水平部６１ａとなっている。水平部６１ａの後方に鍵支持部６１ｂがある。一方、水平部６１ａの裏面前方に質量体支持部６１ｃがある。
白鍵本体部１，黒鍵本体部２の後端部にある鍵支点部１ｂ，２ｂは、鍵支持部６１ｂに取り付けられ、白鍵本体部１，黒鍵本体部２を揺動自在にしている。
【０００３】
鍵フレーム６１の段差部の前後は、鍵フレーム底板４への取付部６１ｄ，取付部６１ｅとなる。鍵フレーム底板４は、例えば、電子楽器の下ケース（棚板）である。
取付部６１ｄのさらに前方に垂直壁６１ｆがあり、この垂直壁６１ｆには、白鍵本体部１に対する鍵ガイド５が設けられている。鍵ガイド５は白鍵本体部の先端部１ａ近傍の下部に挿入され、その左右方向の位置規制及びローリング規制をする。一方、水平部６１ａに立設された鍵ガイド６は、黒鍵本体部２に対するものである。
鍵フレームの水平部６１ａ上には、複数の鍵スイッチ４が設置され、これらに対向して、白鍵本体部１、黒鍵本体部２の上面裏側に、図示しない突部（アクチュエータ）がある。
【０００４】
力伝達部１ｃは、白鍵本体部１の下部から水平部６１ａの孔６１ｇを貫通して下方に出ている。この力伝達部１ｃの先端は底板を有し、この底板の上部は、鍵の長手方向に抜ける。この底板の上下面に弾性部材７（上面は見えない）が固着されている。
質量体６２は、複数の白鍵本体部１，黒鍵本体部２のそれぞれに対応して設けられ、各鍵の下方において鍵の配列方向に並設されている。図示の質量体６２は、白鍵本体部１に対するものであって、質量体支持部６１ｃにより回動自在に支持され、対応する鍵の力伝達部１ｃを介して回動される。
【０００５】
質量体６２は、質量体支持部６１ｃに支持される回動支点部６２ｃと、この回動支点部６２ｃの前方にあって鍵の力伝達部１ｃに係合する、二股の主被駆動部６２ａ及び副被駆動部６２ｂと、この回動支点部６２ｃの後方に長尺の連結部６２ｄを介して質量集中部６２ｅを有している。連結部６２ｄの後端は質量集中部６２ｅの前端部上方に結合されており、連結部６２ｄ及び質量集中部６２ｅ、特に質量集中部６２ｅは、回動時に大きな慣性モーメントを発生する。
質量集中部６２ｅは、水平の下面部を有し、この下面部は後述する下限ストッパ９に対して均等に衝突する。質量集中部６２ｅは、また、後端部側に傾斜した上面部を有し、この上面部は後述する上限ストッパ１０に対して均等に衝突する。
【０００６】
上述した主被駆動部６２ａと副被駆動部６２ｂとは、力伝達部１ｃの底板を弾性部材７を介して挟むようにして力伝達部１ｃと係合している。
演奏者の押鍵操作に連動して質量体６２が回動すると、質量体６２の慣性モーメントに応じた反作用が白鍵本体部１を伝わることにより、演奏者の指に質量感が与えられ、演奏者が離鍵操作をすると、質量体６２は自重により、ゆっくりと逆回動して図示の位置に戻る。
一方、黒鍵本体部２の力伝達部は、図示を省略しているが、力伝達部１ｃと紙面奥行き方向に重なる位置にある。黒鍵本体部２に対しても、同様に、質量体支持部により回動自在に支持された同様の質量体が設けられ、対応する黒鍵の力伝達部により回動される。
なお、図示を省略したが、白鍵本体部１，黒鍵本体部２と鍵フレーム６１との間には復帰バネが設けられている。
【０００７】
上限ストッパ（動作規制部材）１０は、鍵フレームの水平部６１ａの裏面に配置され、質量体６２が回動するときに、質量集中部６２ｅの上面が衝突することにより、質量体６２の上限位置を規制する。その際、質量集中部６２ｅが急制動されるために、鍵を介して演奏者の指にストップ感が得られる。
下限ストッパ（動作規制部材）９は、鍵フレーム底板４に配置され、質量体６２が初期状態に復帰するときに、質量集中部６２ｅの下面が衝突することにより、質量体６２の初期位置を規制する。この際も、指が鍵に触れていれば、ストップ感が得られる。
一方、下限ストッパ１１は、鍵フレームの水平部６１ａの前方上面に配置され、押鍵操作時において、鍵スイッチ４がオンとなった後、白鍵本体部１が押し切られたときに、白鍵本体部１の左右両側面が、この下限ストッパ１１に衝突することにより白鍵本体部１の下限位置を規制する。
これら下限ストッパ９，上限ストッパ１０，下限ストッパ１１は、通常、全ての白鍵、黒鍵に共通であり、鍵の配列方向に沿って帯状に配置されている。
【０００８】
これらのストッパ部材は、衝撃吸収性、消音性、及び、鍵（白鍵本体部１、黒鍵本体部２）の停止位置、及び、質量体６２の停止位置の再現性の観点から、弾性復元力を備えたものが必要であり、従来、フェルト又はポリウレタン・エラストマ等の動作規制部材が使用されている。
しかし、押鍵時に動作規制部材が鍵や質量体６２から衝撃を受け圧縮される際に弾性変形が蓄積され、この弾性変形が元に戻る時に、鍵や質量体６２に対して反力（リバウンドと呼ばれる）を発生させ、鍵が震えることが知られており、心地のよいストップ感が得られない。
特に、大きな押鍵圧力を受けて回動していた質量集中部６２ｅの衝突を受ける上限ストッパ１０の反力が大きい。
【０００９】
これに対し、質量体の内部に閉空間を有し、この閉空間に多数の細粒錘を自由に移動可能に収納した電子楽器の鍵盤装置が知られている（特許文献２参照）。
この鍵盤装置は、上述した従来装置とは逆に、押鍵時に閉空間が鉛直下方向へと回動するものである。従って、強打鍵した押鍵開始時には、細粒錘が自由落下して慣性質量が小さくなる。質量体の移動中においては質量体に細粒錘の質量が加わり、ひきごたえ感が得られる。質量体が下限ストッパに衝突したときは、細粒錘がその衝突エネルギを減衰させるように作用することと、鍵が軽量化されたことから、指への反力が非常に小さくなる。
質量体が復帰して上限ストッパに衝突したときは、同様の原理で反力が小さくなり、バウンドすることなく静止する。
【００１０】
しかし、この鍵盤装置では、押鍵操作中において、質量感を大きく変化させることがむずかしかった。また、細粒錘が移動する際の機械的雑音の発生を防止したり、細粒錘の収納量を知る方法までは検討されていなかった。
【特許文献１】特開平９−１９８０３７号公報
【特許文献２】特開平８−１６１５３号公報
【発明の開示】
【発明が解決しようとする課題】
【００１１】
本発明は、上述した事情に鑑みてなされたもので、鍵の押鍵操作に連動して回動する質量体を有し、押鍵操作開始時の質量感を増すとともに、押鍵操作中における鍵の質量感に変化を付ける電子楽器の鍵盤装置を提供することを目的とするものである。
【課題を解決するための手段】
【００１２】
本発明は、請求項１に記載の発明においては、複数の鍵と、該各鍵の押鍵操作に連動して回動する複数の各質量体と、前記複数の鍵と前記複数の質量体とが並設されたフレームと、該フレームの側に配置され前記各質量体が衝突することにより前記各質量体の回動範囲を規制する動作規制部材を有する電子楽器の鍵盤装置において、前記各質量体には、当該質量体に対応する鍵が押されたとき重力に抗して回動する部分に空洞部が設けられ、前記空洞部には、複数の粒子が空き空間を残した状態で収容されているものである。
従って、押鍵操作の開始時においては、空洞部が設けられた部分が重力に抗して回動し、この空洞部に収容されている複数の粒子は重力に抗して駆動される。その結果、複数の粒子が質量体に与える慣性モーメントに応じて、質量体から鍵を介して演奏者の指に与えられる質量感が増す。空洞部内に空き空間があることから、押鍵操作中において、複数の粒子は遠心力を受けて質量体の回動支点部から遠ざかる方向に移動する。質量体の回動支点部から粒子の位置までの距離の２乗に比例して質量体に与える慣性モーメントが増える。従って、複数の粒子を含めた質量体全体の慣性モーメントが回動に従って増加する。その結果、質量体から鍵を介して演奏者の指に与えられる鍵の質量感に変化を付けることができる。
【００１３】
本発明は、請求項２に記載の発明においては、請求項１に記載の電子楽器の鍵盤装置において、前記空洞部の内部には、緩衝材が設けられているものである。
従って、粒子が空洞部の内面に直接的に衝突したときに発生する機械的雑音を小さくすることができる。
【００１４】
本発明は、請求項３に記載の発明においては、請求項１に記載の電子楽器の鍵盤装置において、前記各粒子は、軟質部材に覆われたものである。
従って、粒子の素材自体は、軟質部材を介して空洞部の内面に衝突するため、機械的雑音を小さくすることができる。
【００１５】
本発明は、請求項４に記載の発明において、請求項１から３までのいずれか１項に記載の電子楽器の鍵盤装置において、前記質量体は、鍵の配列方向に並んだ左右の側壁部を有し、前記空洞部は、前記左右の側壁部の間に形成され、前記左右の側壁部の少なくとも一方は、光透過性を有するものである。
従って、光透過性を有する側壁部を通して、空洞部に収容されている複数の粒子の収容量や粒子の状態を目視することができる。
光透過性を有する側壁部であっても、この側壁部の全面ではなく、その一部が光透過性を有していればよい。
【００１６】
本発明は、請求項５に記載の発明においては、請求項４に記載の電子楽器の鍵盤装置において、前記左右の側壁部の少なくとも一方は、光透過性を有するとともに目盛を有するものである。
従って、目盛を目安として、空洞部に収容する粒子の量を計量しながら粒子を収容できるから、質量体製造時の組立性が向上する。
目盛がは光透過性を有する部分に印を付けたもの、あるいは、目盛の周囲が不透明な素材であって、目盛の部分が光透過性を有したものでもよい。
【発明の効果】
【００１７】
本発明によれば、鍵の押鍵操作に連動して回動する質量体を有する電子楽器の鍵盤装置において、演奏者の指に感じられる押鍵操作開始時の質量感を増すとともに、押鍵操作中における鍵の質量感に変化を付けることができるという効果がある。
その際、機械的雑音の発生を防止したり、粒子の収容量等を視認できるようにして組立性を向上させたりすることも可能である。
【発明を実施するための最良の形態】
【００１８】
図１は、本発明の実施形態を模式的に示す右側面図である。図中、従来構成を示す図６と同様な部分には同じ符号を付している。
図中、３は鍵フレームであり、図６に示した鍵フレーム６１とほぼ同じ構成である。３ａ〜３ｇは６１ａ〜６１ｇに対応する。水平部３ａは図６の水平部６１ａよりも短く、後方段差部にスリット３ｈを設けている。
図１（ａ）は白鍵本体部１が押鍵されていない初期状態を示し、図１（ｂ）は白鍵本体部１が押し下げられて、質量体８が上限ストッパ（動作規制部材）１０により動作規制された状態を示している。黒鍵本体部２についても押し下げられた位置を示している。
【００１９】
図中、８は白鍵本体部１に対する質量体である。図６に示した質量体６２と同様に、主被駆動部８ａ，副被駆動部８ｂ、回動支点部８ｃ、連結部８ｄ、質量集中部８ｅを有している。
従って、この実施形態の電子楽器の鍵盤装置は、複数の鍵（白鍵本体部１、黒鍵本体部２）と、各鍵の押鍵操作に連動して回動する複数の各質量体８と、複数の鍵と複数の質量体８とが並設された鍵フレーム（フレーム）３と、鍵フレーム３の側に配置され各質量体８が衝突することにより各質量体８の回動範囲を規制する下限ストッパ９（動作規制部材）、上限ストッパ１０（動作規制部材）を有する。
鍵フレーム３は、鍵支持部３ｂにおいて、白鍵本体部１，黒鍵本体部２を揺動自在に支持し、質量体支持部３ｃにおいて、質量体８を回動自在に支持している。
【００２０】
質量集中部８ｅは、質量体８に対応する鍵（図示の例では、白鍵本体部１）が押されたときに、重力に抗して回動する。すなわち、鉛直上方成分を含む方向へと回動する。この質量集中部８ｅの部分に、空洞部８eaが設けられている。この空洞部８eaには、複数の粒子１２が空き空間を残した状態で収容されている。
図中、２点鎖線ｘ−ｘは、回動支点部８ｃと空洞部８eaの位置（略中心点）とを結ぶ、径方向（回動支点部８ｃからの距離が増える方向又は減る方向）であり、２点鎖線ｙ−ｙは、空洞部８eaの位置（略中心点）における回動方向（上方向又は下方向）である。
【００２１】
空洞部８ea内において複数の粒子１２が回動方向ｙ−ｙに移動可能となるように、空洞部８eaは回動方向ｙ−ｙに延在する。また、複数の粒子１２が回動の径方向ｘ−ｘにも移動可能となるように、空洞部８eaは回動の径方向ｘ−ｘに広がりを有している。
質量集中部８ｅが、その外形に比例した大きな空洞部８eaを有することに関連して、その質量の減少を補うために、図６の質量集中部６２ｅよりも外形を大きくしているが、質量体８の回動範囲（ストローク範囲）は図６の質量体６２と一致するように、連結部８ｄを図６の連結部６２ｄよりも長くしている。
【００２２】
連結部８ｄは、鍵フレーム３の後方段差部に設けられたスリット３ｈに挿通され、質量集中部８ｅは鍵フレーム３の後方に配置される。上限ストッパ１０には、連結部８ｄの後端部近傍の上面が鉛直上方向に衝突し、下限ストッパ９には、質量集中部８ｅの下面が鉛直下方向に衝突する。
図示のように、連結部８ｄを質量体集中部８ｅの前端下方に結合させることにより、質量集中部８ｅの形状を鉛直上方向に高くしても、質量体８の上限位置における高さが抑制される。
図示の例では、質量集中部８ｅ及び空洞部８eaの形状を、回動方向ｙ−ｙよりも、回動の径方向ｘ−ｘに長くしているが、回動方向ｙ−ｙに長くしてもよい。
【００２３】
図２は、図１に示した空洞部８ea内部の粒子分布を模式的に示す縦断面図である。
図２（ａ）は、図１（ａ）に示した初期状態における粒子分布の説明図である。
空洞部８eaは外郭８ebに囲まれている。連結部８ｄが結合している前端面上部には導入路８ecが設けられ外郭８ebを貫通している。複数の粒子１２は、この導入路８ecを内外連絡通路として空洞部８ea内に収容され、この導入路８ecを封止部材１３によって封止することにより、粒子１２が外界に散逸しないようにしている。
空洞部８ea内に、粒子１２が自由移動するに十分な空き空間が残るように、粒子１２の収容量が調節されている。そのため、複数の粒子１２は、重力により空洞部８eaの内底にほぼ一様に溜まっている。
【００２４】
主被駆動部８ａ，副被駆動部８ｂ，回動支点部８ｃは、合成樹脂等で一体化されて基部となる。この基部は、例えば、金属製の連結部８ｄを金型に差し込んだ状態でアウトサート成形される。
質量集中部８ｅは、例えば、連結部８ｄと一体のものである。
質量集中部８ｅを、特許文献１に記載の質量体のように、第１のケースと、蓋体となる第２のケースとで構成されるようにして、両者を嵌合することにより空洞部８eaを形成することができる。質量集中部８ｅは、また、図４を参照して説明する他の実施形態と同様に、連結部８ｄと一体で、かつ、空洞部となる閉領域を有した心材部に、側壁部を被着することにより形成することもできる。
粒子１２は、固体物であり、球体として図示しているが、球体には限られない。外形寸法は、外形３mm以下が望ましい。特許文献２に記載されていたような、砂や鉄粒、鉛粒であってよいが、その他の金属、セラミック、プラスチックでもよい。
封止部材１３としては、ネジ、栓、シーリング剤を用いることができる。
【００２５】
演奏者が鍵（白鍵本体部１、黒鍵本体部２）を押し下げ始めると（押鍵開始時）、質量体８が反時計回りに回動するため、空洞部８eaが設けられた部分が重力に抗して上昇するように回動する。この空洞部８eaに収容されている複数の粒子１２は重力に抗して駆動される。
その結果、粒子１２に加わる重力及び空洞部８eaの内底面が粒子１２に与える駆動力の反作用が、空洞部８eaの内底面に加わるから、複数の粒子１２が質量体８に慣性モーメントを与える。この慣性モーメントに応じて、質量体８から鍵を介して演奏者の指に与えられる質量感が増す。鍵を押し下げる力を大きくするほど、この質量感が増す。
【００２６】
図２（ｂ）は、白鍵本体部１を押し下げて、質量体８が回動している途中の状態における粒子分布の説明図である。
質量体８が回動する過程において、連結部８ｄ及び質量集中部８ｅの慣性モーメントに応じた質量感が白鍵本体部１から演奏者の指に与えられる。
複数の粒子１２は、空洞部８eaの内底面から回動方向ｙ−ｙの上方に駆動力を受け、また、回動の径方向ｘ−ｘの外方に遠心力を受けるから、複数の粒子１２の重心は、回動支点部８ｃから遠ざかる後端部の方向に移動する。従って、複数の粒子１２が質量体８に与える慣性モーメントが回動に従って増加するから、質量体８から鍵を介して演奏者の指に与えられる鍵の質量感に変化を付けることができる。
ここで、鍵を押し下げる力を強くするほど、粒子１２の移動が促進されて慣性モーメントの増加が著しくなり、押し下げる力を弱くして、回動の速度を遅くすれば、複数の粒子１２の重心は、逆に、回動支点部８ｃ側に戻ることになるため、質量感が減少する。
【００２７】
図２（ｃ）は、質量体８が上限ストッパ１０に衝突した直後における粒子分布の説明図である。
複数の粒子１２は、回動方向ｙ−ｙの反時計回りに駆動されていたので、質量集中部８ｅが上限ストッパ１０に衝突すると、空洞部８ea内に空き空間があるため、複数の粒子１２が空洞部８eaの天井面等の内面に衝突するとともに、複数の粒子１２相互も衝突する。その際、複数の粒子１２の運動エネルギの一部は熱に変わる。従って、その複数の粒子１２の運動エネルギの一部しか上限ストッパ１０の弾性エネルギに変わらないから、上限ストッパ１０が弾性エネルギーを放出するときの反力は、複数の粒子１２がない場合に比べて、さほど増えない。
その結果、複数の粒子１２により質量感が増しても、演奏者の指に伝わるストップ感が悪くならない。
これに対し、仮に、複数の粒子１２が空洞部８eaと一体的に固定されていたとすれば、複数の粒子１２の運動エネルギが空洞部８eaの内部で消費されないために、上限ストッパ１０が弾性エネルギーを放出するときの反力は、複数の粒子１２の総質量に見合って大きくなり、演奏者の指に伝わる不快感が増すことになる。
【００２８】
演奏者が、白鍵本体部１から指を離す操作をする（離鍵操作）と、質量体８は重力の作用により時計回り方向に回動して、図２（ａ）の初期状態に戻る。
粒子１２は、質量集中部８ｅとともに、自重によりゆっくりと回動方向ｙ−ｙの時計回り方向に落下するので、質量体８が下限ストッパ９に衝突すると、複数の粒子１２は、空洞部８eaの内底面等に衝突したり、複数の粒子１２相互が衝突する。その際、運動エネルギの少なくとも一部が熱に変わるから、質量集中部８ｅが上限ストッパ１０に衝突したときと同様に、下限ストッパ９の反力は、複数の粒子１２がない場合に比べて、さほど増えない。
【００２９】
図３は、図１に示した実施形態の変形例を模式的に示す説明図である。
図中、図１、図２と同様な部分には同じ符号を用いている。質量体８としては、図１、２に示した質量体８を用いるが、その空洞部８eaの内部に緩衝材２１を設けている。緩衝材２１は、空洞部８eaの内面の少なくとも一部にあればよい。緩衝材２１は、空洞部８eaの内面に固着されていても、又は、２色成形により質量集中部８ｅとともに一体成形されてもよい。また、空洞部８eaの内部空間に、複数の粒子１２とともに収容されているだけでもよい。
緩衝部材２１を設けることにより、粒子１２の少なくとも一部は、緩衝材２１を介して空洞部８eaの内面に衝突するから、粒子１２が空洞部８eaの内面に、直接的に衝突した場合に発生する機械的雑音を小さくすることができる。
【００３０】
緩衝材２１として、例えば、フェルト、ゴム、エラストマ、スポンジ（ゴム又は合成樹脂により形成された海綿状素材）、不織布、軟質塩化ビニル、紐材等を用いることができる。
図示の例では、緩衝材２１は、空洞部８eaの天井面、前端部内面、後端部内面に配置されている。緩衝材２１は、鍵の配列方向に沿って平行に並んだ左右の両側壁部の内面に配置されてもよい。緩衝材２１は複数枚に分かれていてもよい。
質量集中部８ｅが上限ストッパ１０に衝突したとき、複数の粒子１２が押鍵時の回動方向にある内面（天井面）に激しく衝突するために、緩衝材２１は、空洞部８eaの天井面に設けると効果が大きい。
【００３１】
緩衝材２１には導入路８ecの位置に対応して孔をあけるか、導入路８ecの箇所には、緩衝材２１を配置しないようにする。
なお、図３においては、空洞部８eaの側に緩衝材２１を設置しているが、粒子１２の方を軟質部材で覆う（コーティングする）ようにして、粒子１２の素材が、空洞部８ea内面に直接的に衝突しないようにして、機械的雑音の発生を防止するようにしてもよい。
この場合の軟質部材として、エラストマ、ゴム、軟質塩化ビニル等を用いることができる。
【００３２】
図４は、本願発明の他の実施形態に用いる質量体を模式的に示す構造図である。
図４（ａ）は質量体３１の全体構造を示す右側面図、図４（ｂ）は連結部３１ｄと質量集中部３１ｅの心材部３１ｅｂとを一体化した構成を示す右側面図、図４（ｃ）は図４（ａ）のＡ−Ａ切断線におけるＡ方向から見た質量集中部３１ｅの横断面図である。
質量体３１は、質量集中部３１ｅの構造を除けば、図１，図２に示した質量体８と同様な構造である。従って、３１ａ〜３１ｄは、８ａ〜８ｄと同様である。
【００３３】
質量集中部３１ｅを３部品で構成することにより、空洞部３１eaを形成する。
心材部３１ebは、図４（ｂ）に示すように、回動の径方向ｘ−ｘ及び回動方向ｙ−ｙを含む平面において、最終的に空洞部３１eaとなる閉領域を囲み、図４（ｃ）に示す横断面において、幅がwである。心材部３１eaの前端上部には導入路３１ecが設けられている。
図４（ｃ）に示すように、心材部３１ebが鍵の配列方向に沿って右側壁部３１ed、左側壁部３１eeに挟まれることにより、空洞部３１eaが形成される。
心材部３１ebと連結部３１ｄとは、両者を一体にした形状のものを板金打抜きで作成することができる。心材部３１eb、右側壁部３１ed、及び、左側壁部３１eeは、一体成形されたり、張り合わせ、締結、あるいは、嵌合されたりする。
主被駆動部３１ａ、副被駆動部３１ｂ、回動支点部３１ｃを備える基部と連結部３１ｄとは、図２に示した質量体８と同様に、例えば、アウトサート成形により一体化される。
【００３４】
右側壁部３１ed、左側壁部３１eeの少なくとも一方は、光透過性を有するものである。光透過性を有する素材として、例えば、透明ABS樹脂を用いればよい。図示の例では、右側壁部３１edが全面にわたって光透過性を有している。
右側壁部３１edが光透過性を有するといっても、右側壁部３１edの一部分が光透過性を有していればよい。
光透過性を有する部分を通して、空洞部３１eaに収容された粒子１２を見ることができるから、粒子１２の収容量、粒子１２の状態（例えば、摩耗状態）等を視認できる。光透過性を有する部分が完全に透明である必要はなく、乳白色等の半透明でもよい。
【００３５】
図５は、図４に示した他の実施形態の変形例に用いる質量体を模式的に示す右側面図である。
図中、図４と同様な部分には同じ符号を付している。
図５（ａ）は、図４に示した光透過性を有した右側壁部３１edに１又は複数の目盛４１を有するものである。
目盛４１の他に、数字、星印、丸印等の異形マーク等、空洞部３１ea内の粒子１２の収容量を知る目安となる印が付けられている。目盛４１等の印を付ける方法（マーキング方法）としては、刻印、印刷の他、罫書（ケガキ）や油性マーカでもよい。
【００３６】
質量集中部３１ｅを図示のように、その後端部を底にした状態で、導入路３１ecから粒子１２を入れる際に、マーキングされた印を目安として、空洞部３１eaに収容する粒子の量を計量できるし、また、目盛４１等のマーキングがされていない部分の粒子１２も見えるから、質量体３１の製造時の組立性が向上する。
図示のように、空洞部３１eaが、回動の径方向に長い場合は、後端部を底面にして計量すれば、複数の粒子１２の収容量、総質量が界面の高さに良く反映される。その際、目盛４１の線は、後端部と平行にマーキングされていると、複数の粒子１２と空間との境界面と比較がしやすい。
【００３７】
図５（ｂ）は、図５（ａ）の右側壁部３１edに代えて、全体としては不透明であるが、その一部が光透過性を有している右側壁部５１を用いたものであって、より具体的には、１又は複数の窓部５２が光透過性部材で形成されたものである。
図示の例では、複数の窓部５２を後端部の底面と平行なスリット状にすることにより、図５（ａ）に示した目盛４１と同じような計量ができるようにしている。
窓部５２をスリット状の貫通孔としてもよいが、その場合、粒子１２が貫通孔から散逸しないような幅にする必要がある。
窓部５２はスリット状でなくても良いし、後端部と平行でなくてもよい。図５（ａ）と同様に、数字や異形マークを右側壁部５１にマーキングしてもよい。
【００３８】
上述した説明では、質量体の質量集中部に空洞部を設けたが、連結部に空洞部を設けて粒子１２を収容してもよい。また、質量集中部と連結部とに形状が明確に分かれていない質量体を用い、この質量体に空洞部を設け、粒子１２を収容してもよい。
上述した説明では、質量体に導入路を設けて、ここから複数の粒子１２を空洞部内に入れた。これに代えて、まだ空洞部が開口している製造段階において、複数の粒子１２を収容してもよい。
【００３９】
上述した説明では、空洞部内の複数の粒子１２が与える質量感を説明したが、質量体の連結部及び質量集中部（外郭や心材部、側壁部）の質量も、質量体の慣性モーメントに寄与するから、これらの部材としても、比重が大きな部材で形成することが望ましい。また、質量体の連結部及び質量集中部が撓むと鍵タッチ感が悪くなるので、これらの部材には、剛性の高い部材（例えば、金属）で形成することが望ましい。
【００４０】
上述した説明では、白鍵本体部１及び黒鍵本体部２は、押鍵されたときに、それらの鍵支点部１ｂ，２ｂを固定的な回動支点として揺動していた。
しかし、従来の電子楽器の鍵盤装置の中には、仮想的な回動支点を持って揺動したり、仮想的な回動支点が無限遠方にあって、押鍵されたときに鍵が鉛直下方向に平行移動する態様で揺動するものがある（例えば、特開平４−６６９９５号公報参照）。
このような鍵盤装置においても、鍵側に力伝達部を設けて、この力伝達部で、質量体の被駆動部を押下し、質量体を回動させることにより、鍵の質量感、ストップ感を得ることができる。従って、このような鍵盤装置においても、本願の発明を適用して、同様の作用効果を奏することができる。
【図面の簡単な説明】
【００４１】
【図１】本発明の実施形態を模式的に示す右側面図である。
【図２】図１に示した空洞部内部の粒子分布を模式的に示す縦断面図である。
【図３】図１に示した実施形態の変形例を模式的に示す説明図である。
【図４】本願発明の他の実施形態に用いる質量体を模式的に示す説明図である。
【図５】図４に示した他の実施形態の変形例に用いる質量体を模式的に示す右側面図である。
【図６】従来の電子楽器の鍵盤装置を模式的に示す右側面図である。
【符号の説明】
【００４２】
１…白鍵本体部（鍵）、２…黒鍵本体部（鍵）、３，６１…鍵フレーム（フレーム）、
８，３１，６２…質量体、
８ａ，３１ａ，６２ａ…主被駆動部、８ｂ，３１ｂ，６２ｂ…副被駆動部、８ｃ，３１ｃ，６２ｃ…回動支点部、８ｄ，３１ｄ，６２ｄ…連結部、
８ｅ，３１ｅ，６２ｅ…質量集中部、８ea，３１ea…空洞部、８eb…外郭、３１eb…心材部、８ec，３１ec…導入路、３１ed…右側壁部（光透過性）、３１ee…左側壁部、
９…下限ストッパ（質量体に対する動作規制部材）、１０…上限ストッパ（質量体に対する動作規制部材）、１１…下限ストッパ（鍵に対する動作規制部材）、１２…粒子、１３…封止部材、２１…緩衝材、４１…目盛、５１…右側壁部（不透明）、５２…窓部（光透過性）
【図１】
2009014973.tif 000003
【図２】
2009014973.tif 000004
【図３】
2009014973.tif 000005
【図４】
2009014973.tif 000006
【図５】
2009014973.tif 000007
【図６】
2009014973.tif 000008